(57)【要約】【課題】注文内容の一部が異なる複数のプリント注文を行う場合、プリント注文代金の値引きを行う。【解決手段】本発明を適用した注文受付装置１は、操作部１３により、注文内容の一部が異なる複数のプリント注文の注文内容が入力されると、その注文内容に応じてプリント注文代金の値引き額を算出し、その算出された値引き額が差し引かれたプリント注文代金を算出する。また、注文内容の一部が異なる複数のプリント注文の注文内容を行う場合に、操作部１３により値引き額又は値引き率が入力されると、注文受付装置１は、その入力された値引き額又は値引き率に従って、プリント注文代金を算出する。【選択図】　　　　　　図９
2004145622.tif 000002
【特許請求の範囲】
【請求項１】
画像のプリント注文の受付を行うための注文受付装置において、
注文内容の一部が異なる複数のプリント注文の注文内容を入力する入力手段と、
前記入力手段により入力された複数のプリント注文の注文内容に基づいて、当該複数のプリント注文の代金の値引き額を算出する値引き額算出手段と、
前記入力手段により入力された複数のプリント注文の注文内容及び前記値引き額算出手段により算出された値引き額に基づいて、当該複数のプリント注文の代金を算出する代金算出手段と、
を備えることを特徴とする注文受付装置。
【請求項２】
画像のプリント注文の受付を行うための注文受付装置において、
注文内容の一部が異なる複数のプリント注文の注文内容を入力する入力手段と、
前記複数のプリント注文の代金の値引き額を入力する値引き額入力手段と、
前記入力手段により入力された複数のプリント注文の注文内容及び前記値引き額入力手段により入力された値引き額に基づいて、当該複数のプリント注文の代金を算出する代金算出手段と、
を備えることを特徴とする注文受付装置。
【請求項３】
画像のプリント注文の受付を行うための注文受付装置において、
注文内容の一部が異なる複数のプリント注文の注文内容を入力する入力手段と、
前記複数のプリント注文の代金の値引き率を入力する値引き率入力手段と、
前記入力手段により入力された複数のプリント注文の注文内容及び前記値引き率入力手段により入力された値引き率に基づいて、当該複数のプリント注文の代金を算出する代金算出手段と、
を備えることを特徴とする注文受付装置。
【発明の詳細な説明】
【０００１】
【発明の属する技術分野】
本発明は、画像のプリント注文の受付を行うための注文受付装置に関する。
【０００２】
【従来の技術】
近年、フィルムに記録された撮影画像や、ＣＤ−Ｒやメモリカード等の記録媒体に記録された画像データを用いて、年賀状や暑中見舞い等のポストカードの作成や、オリジナルカレンダーの作成等を行うプリントサービスが展開されている（例えば、特許文献１参照。）。
【０００３】
【特許文献１】
特開２００１−２２００７号公報
【０００４】
【発明が解決しようとする課題】
一般に、上述のようなプリントサービスでは、プリント注文毎に基本料金等を課金している。例えば、プリント注文客が、装飾デザインや画像の異なる２種類の年賀状の作成を一度に注文した場合、２つのプリント注文を行ったものとみなされる。従って、それら２つのプリント注文の各々に対して同一の基本料金が課金される。また、例えば、家族で年賀状の作成を注文した場合等、差出人の名前のみが異なる年賀状の作成を一度に注文した場合においても、たとえ、差出人の名前以外の部分（差出人住所、使用する画像）が同一であっても、差出人毎に異なるプリント注文を行ったものとみなされる。従って、この場合、差出人毎に同一の基本料金が課金される。
【０００５】
このように、従来のプリントサービスでは、注文内容の一部が異なる複数のプリント注文の各々を、完全に別々の注文とみなし、別個に基本料金等を課していたため、プリント注文客は、高額のプリント注文代金を支払わなければならなかった。従って、従来のプリントサービスは、プリント注文客にとって魅力的なサービスとは言えなかった。
【０００６】
本発明の課題は、注文内容の一部が異なる複数のプリント注文を行う場合、プリント注文代金の値引きを行うことである。
【０００７】
【課題を解決するための手段】
請求項１記載の発明は、
画像のプリント注文の受付を行うための注文受付装置において、
注文内容の一部が異なる複数のプリント注文の注文内容を入力する入力手段と、
前記入力手段により入力された複数のプリント注文の注文内容に基づいて、当該複数のプリント注文の代金の値引き額を算出する値引き額算出手段と、
前記入力手段により入力された複数のプリント注文の注文内容及び前記値引き額算出手段により算出された値引き額に基づいて、当該複数のプリント注文の代金を算出する代金算出手段と、
を備えることを特徴としている。
【０００８】
請求項２記載の発明は、
画像のプリント注文の受付を行うための注文受付装置において、
注文内容の一部が異なる複数のプリント注文の注文内容を入力する入力手段と、
前記複数のプリント注文の代金の値引き額を入力する値引き額入力手段と、
前記入力手段により入力された複数のプリント注文の注文内容及び前記値引き額入力手段により入力された値引き額に基づいて、当該複数のプリント注文の代金を算出する代金算出手段と、
を備えることを特徴としている。
【０００９】
請求項３記載の発明は、
画像のプリント注文の受付を行うための注文受付装置において、
注文内容の一部が異なる複数のプリント注文の注文内容を入力する入力手段と、
前記複数のプリント注文の代金の値引き率を入力する値引き率入力手段と、
前記入力手段により入力された複数のプリント注文の注文内容及び前記値引き率入力手段により入力された値引き率に基づいて、当該複数のプリント注文の代金を算出する代金算出手段と、
を備えることを特徴としている。
【００１０】
本発明によれば、注文内容の一部が異なる複数のプリント注文の受付を行う場合、注文内容が同一部分の入力が省略可能になることにより、プリント注文の代金の値引きが可能になり、プリント発注を促進させることができる。
【００１１】
【発明の実施の形態】
以下、図を参照して本発明の実施の形態を詳細に説明する。
［第１の実施の形態］
まず、本発明の第１の実施の形態を詳細に説明する。
本第１の実施の形態における構成を説明する。
【００１２】
図１は、本発明を適用した注文受付装置１の主要部構成を示すブロック図である。注文受付装置１は、図１に示すように、ＣＰＵ１１、表示部１２、操作部１３、メディア入力部１４、記憶部１５、通信部１６により構成され、各部は、バス１７により接続されている。
【００１３】
ＣＰＵ１１は、記憶部１５に格納された各種処理プログラムに従って、各部の動作を集中制御する。具体的には、ＣＰＵ１１は、後述の値引きサービス処理（図２参照）において、注文内容の一部が異なる複数のプリント注文の注文内容が入力されると、その注文内容に応じてプリント注文代金の値引き額を算出し、その算出された値引き額が差し引かれたプリント注文代金を算出する。ここで、値引き額は、注文内容によって予め詳細に設定されている。例えば、使用する画像のみが異なる二種類のポストカードを計２０枚以上注文する場合は、基本料金を全額値引く（即ち、基本料金を無料にする）等の情報が設定されている。ＣＰＵ１１は、この設定された値引き額に従って、プリント注文代金の値引き額を算出する。
【００１４】
また、操作部１３により値引き額又は値引き率が入力された場合、ＣＰＵ１１は、その入力された値引き額又は値引き率に従って、プリント注文代金を算出する。なお、ＣＰＵ１１は、特許請求の範囲における値引き額算出手段及び代金算出手段としての機能を有する。
【００１５】
表示部１２は、ＬＣＤ（Ｌｉｑｕｉｄ　Ｃｒｙｓｔａｌ　Ｄｉｓｐｌａｙ）やＣＲＴ（Ｃａｔｈｏｄｅ　Ｒａｙ　Ｔｕｂｅ）等により構成され、ＣＰＵ１１から入力される表示信号に従って、所要の表示処理を行う。表示部１２における画面表示例を図３〜図１０に示す。
【００１６】
操作部１３は、テンキー、カーソルキー、各種ファンクションキー等を有し、キーの押下による操作信号をＣＰＵ１１に出力する。また、操作部１３は、ポインティングデバイスであるマウスを有し、マウスのクリック操作による操作信号をＣＰＵ１１に出力する。なお、操作部１３は、表示部１２のＬＣＤと一体になったタッチパネルを含んだ構成としてもよい。なお、操作部１３は、特許請求の範囲における入力手段、値引き額入力手段及び値引き率入力手段としての機能を有する。
【００１７】
メディア入力部１４は、メモリスティック（登録商標）、スマートメディア（登録商標）、コンパクトフラッシュ（登録商標）、マルチメディアカード（登録商標）、ＳＤメモリカード（登録商標）、ＰＣカード等のメモリカードが装着可能な構成となっている。
【００１８】
また、メディア入力部１４は、フィルム画像やプリント画像を読み取るためのスキャナを備えている。このスキャナは、発光部、ＣＣＤ（Ｃｈａｒｇｅ　Ｃｏｕｐｌｅｄ　Ｄｅｖｉｃｅ）、Ａ／Ｄコンバータ（何れも図示略）等を備えている。発光部は、フィルムやプリントに光を照射し、フィルムやプリントに記録された撮影画像を撮像光として出力する。ＣＣＤは、発光部から出力された撮像光（光信号）を光電変換により電気信号（アナログ信号）に変換する。Ａ／Ｄコンバータは、このアナログ信号をデジタル信号（画像データ）に変換する。
【００１９】
記憶部１５は、ＣＰＵ１１により実行される各種処理プログラム及びこれらの処理プログラムの実行時に使用されるデータ等を格納している。
【００２０】
通信部１６は、モデム（ＭＯＤＥＭ：Ｍｏｄｕｌａｔｅｒ／ＤＥＭｏｄｕｌａｔｅｒ）、ターミナルアダプタ（Ｔｅｒｍｉｎａｌ　Ａｄａｐｔｅｒ）、ＬＡＮアダプタ等によって構成され、電話回線、ＩＳＤＮ回線、或いは専用線等の通信ネットワークを介して、外部機器との通信を行うための通信制御を行う。
【００２１】
次に、本第１の実施の形態の動作を説明する。
図２のフローチャートを参照して、注文受付装置１において実行される値引きサービス処理について説明する。以下のフローチャートでは、ポストカードのプリント注文に対する値引きサービスを行う場合について説明する。
【００２２】
プリント注文を行う客は、プリントサービスを提供する写真専門店や取次店の店頭に、注文内容を記入したスタッファとともに、画像データが記録された記録媒体（メモリカード）、撮影画像が記録されたフィルム、プリントの少なくとも一つを持参して、プリント注文を依頼する。ここで、スタッファとは、プリント注文を行うためのカタログ票のことである。このスタッファには、ポストカードで利用可能な各種装飾デザイン及びそれらの識別番号が掲載されているとともに、これらの装飾デザイン（以下、デザインと称す）を参照してプリント注文を行うための記入フォームが設けられている。
【００２３】
表示部１２に、図３に示すように、注文者情報・スタッファ情報入力画面が表示されているものとする。図３に示す注文者情報・スタッファ情報入力画面には、プリント注文を行う客（ポストカードの差出人）の氏名及び電話番号の入力欄とともに、「カテゴリ」欄、「ご注文の品番（デザイン番号）」欄及び「オプション」欄が設けられている。ポストカードを作成する場合、「カテゴリ」欄では、結婚用、誕生用、入学用、転居用、書中見舞い用等のポストカードの用途が選択可能になっている。「ご注文の品番（デザイン番号）」欄では、スタッファに掲載された各種デザインを識別するための番号が選択可能になっている。
【００２４】
「オプション」欄では、「ご注文の品番（デザイン番号）」欄で選択されたデザイン毎に、適用可能なオプション項目が表示される。各オプション項目には、項目を指定するためのチェックボックスが設けられ、デザインに応じて、予め特定の項目がチェックされている。例えば、図３では、デザイン番号３ＰＤ−１３Ｙのデザインに対しては、オプションとして、技術料金、トリミング料金、自由文字入れ料金及び文字入れ料金が適用可能であるが、技術料金及び文字入れ料金が予めチェックされている。このチェックは、店側の判断ではずすことができる。例えば、技術料金を無料にする場合は、技術料金項目のチェックをはずすことができる。
【００２５】
図３の注文者情報・スタッファ情報入力画面が表示されると、この画面上で、客から預かったスタッファに記入された内容に基づいて、店員によって、お客様情報として、客の氏名及び電話番号が入力されるとともに、カテゴリ、品番及びオプションが選択される（ステップＳ１）。
【００２６】
ステップＳ１におけるお客様情報入力が終了し、図３の注文者情報・スタッファ情報入力画面において、「次へ」ボタンがクリックされると、表示部１２には、ポストカード作成に必要な編集画面が表示されるとともに、ポストカードに使用するデザインを選択するためのデザイン選択画面（図示略）が表示される。
【００２７】
デザイン選択画面上で、ポストカードに使用するデザインが選択されると（ステップＳ２）、編集画面には、図４に示すように、ステップＳ２で選択されたデザインが表示される。図４では、結婚用のデザインが選択された例を示している。
【００２８】
編集画面の上部には、次の操作を指示するためのメッセージが表示されている。図４では、「左側の「画像を取込む」ボタンをクリックすると、画像取込画面に進みます。」というメッセージが表示されている。このメッセージに従って、左側に表示された「画像を取込む」ボタンがクリックされ、メディア入力部１４から、ポストカードに使用される画像が取り込まれる。画像取り込み後の編集画面の例を図５に示す。
【００２９】
図５では、複数の画像が取り込まれた場合を示しており、編集画面上部のメッセージ「フォトフレーム内にはめ込む画像を選択してください。」に従って、これらの画像の中から、ポストカードのフォトフレーム内にはめ込む画像が選択される。そして、その選択された画像が編集画面内のポストカードに合成される（ステップＳ３）。画像合成後の編集画面の例を図６に示す。
【００３０】
図６の編集画面に示されたポストカード下部の空欄には、文字を入力することが可能であるため、この編集画面上部には、「右側のボタンで画像位置を調整し、よろしければ、左側の「文字を入れる」ボタンをクリックしてください。」というメッセージが表示される。このメッセージに従って、編集画面左側の「文字を入れる」ボタンがクリックされると、表示部１２には、図７に示すような文字入力選択画面が表示される。
【００３１】
図７に示す文字入力選択画面では、文字入力形式を選択するために、「差出人情報を入力する（一般）」、「定型で文字を入力する（業務）」、「自由に文字を入力する」、「定型あいさつ文を選ぶ」及び「日付を入力する」の５つのボタンが設けられている。これらのボタンのうちの何れかがクリックされると、対応する文字を入力するための専用のダイアログが表示され、文字入力が行われる（ステップＳ４）。
【００３２】
ステップＳ４における文字入力が終了し、編集画面左側の「注文する」ボタンがクリックされると、表示部１２には、プリント注文する画像を確認するための注文画像確認画面（図示略）が表示される。注文画像の確認が終了すると、表示部１２には、プリント枚数やはがき種を指定するための入力画面が表示される。
【００３３】
この入力画面上で、プリント枚数やはがき種が入力されると（ステップＳ５）、表示部１２には、図８に示すように、注文内容を確認するための注文確認画面が表示される（ステップＳ６）。
【００３４】
図８に示す注文確認画面では、メニュー項目毎に単価、数量及び料金が表示されている。また、オプションメニュー項目毎に、単価が表示されるとともに、チェックボックスが設けられ、オプションメニュー項目の追加や削除を可能にしている。図８に示したメニューでは、基本料金が５００円に設定されている。
【００３５】
図８の注文確認画面の下部には、前の編集画面に戻るための「戻る」ボタン、注文確認画面に提示された注文内容をプリント生成を行うラボに送信するための「送信」ボタンの他、ステップＳ２で選択されたデザイン、ステップＳ３で入力合成された画像及びステップＳ４で入力合成された文字の少なくとも一つ以上の項目を変更してもう一種類のポストカードのプリント注文を行うための「もう一つ注文」ボタンが設けられている。
【００３６】
図８の注文確認画面によって注文確認が終了し、注文確認画面の「送信」ボタンがクリックされると（ステップＳ７；送信）、注文データが確定され（ステップＳ８）、本値引きサービス処理が終了する。
【００３７】
図８の注文確認画面において、「もう一つ注文」ボタンがクリックされた場合（ステップＳ７；もう一つ注文）、お客様情報はそのままで、上述で選択されたデザイン、上述で合成された画像及び文字の少なくとも一つ以上の項目を変更してもう一種類のポストカードのプリント注文を行うために、表示部１２には、変更する項目（デザイン、画像、文字）を指定する画面（図示略）が表示される。
【００３８】
変更する項目が指定されると、その指定された項目の変更処理が行われる（ステップＳ９）。例えば、ポストカードのフォトフレームにはめ込む画像のみを変更する場合は、ステップＳ９では、画像の入力合成のみが行われる。この場合、お客様情報入力、デザイン選択及び文字入力合成のステップは省略される。また、例えば、差出人の氏名のみを変更する場合は、ステップＳ９では、文字入力合成のみが行われる。この場合、デザイン選択及び画像入力合成のステップは省略される。
【００３９】
ステップＳ９の変更処理が終了すると、表示部１２には、プリント枚数やはがき種を指定するための入力画面が表示される。この入力画面上で、プリント枚数やはがき種が入力されると（ステップＳ１０）、ＣＰＵ１１は、入力された注文内容に応じて値引き額を算出するとともに、その算出された値引き額が差し引かれたプリント注文代金を算出する。このとき、表示部１２には、図９に示すような注文確認画面が表示される（ステップＳ１１）。図９の注文確認画面では、ＣＰＵ１１により算出された値引き金額が提示されている。
【００４０】
図９に示した注文確認画面では、図８と同様に、メニュー項目毎に単価、数量及び料金が表示されている。また、オプションメニュー項目毎に、単価が表示されるとともに、チェックボックスが設けられ、オプションメニュー項目の追加や削除を可能にしている。図９に示した注文確認画面のメニュー項目及びオプションメニュー項目は、図８に示した注文確認画面のメニュー項目及びオプションメニュー項目と同一であり、基本料金以外の単価及び料金も同一である。図９では、基本料金の５００円分が値引きされた金額が提示されている。
【００４１】
なお、図９では、メニュー項目のうち、基本料金が値引き対象となっている場合を示しているが、値引き対象となるメニュー項目（又はオプションメニュー項目）は、特に限定されない。値引き対象となるメニュー項目は、予め設定されており、この設定内容は変更可能である。また、複数のメニュー項目が値引き対象となってもよい。
【００４２】
図９に示した注文確認画面の下部には、「戻る」ボタン、「もう一つ注文」ボタン及び「送信」ボタンの他に、手動で値引き額（又は値引き率）を設定するための「値引き変更」ボタンが設けられている。
【００４３】
図９の注文確認画面において、「送信」ボタンがクリックされると（ステップＳ１２；ＮＯ、ステップＳ１６；ＹＥＳ）、図９に提示された値引き額で注文データが確定され（ステップＳ８）、本値引きサービス処理が終了する。図８及び図９の注文確認画面で示した例では、一回目のプリント注文で、プリント注文代金は４４００円（図８）、二回目のプリント注文で、プリント注文代金は、基本料金が無料になって３９００円であることから（図９）、一回目と二回目のプリント注文代金の合計は、４４００＋３９００＝８３００円となる。
【００４４】
図９の注文確認画面において、「値引き変更」ボタンがクリックされると（ステップＳ１２；ＹＥＳ）、表示部１２には、図１０に示すような値引き設定を行うための入力ダイアログが表示される。
【００４５】
この入力ダイアログにおいて、値引き率（％）又は値引き額が入力される（ステップＳ１３）。図１０の入力ダイアログにおいて、「キャンセル」ボタンがクリックされると（ステップＳ１４；ＮＯ）、手動による値引き設定はキャンセルされ、表示部１２には、再度、図９の注文確認画面が表示される（ステップＳ１１）。
【００４６】
図１０の入力ダイアログにおいて、「ＯＫ」ボタンがクリックされると（ステップＳ１４；ＹＥＳ）、ＣＰＵ１１は、ステップＳ１３の入力内容に基づいて値引き額を算出する。このとき、表示部１２には、手動による値引き金額を提示した注文確認画面（図示略）が表示される（ステップＳ１５）。例えば、図９の注文確認画面で示した注文内容で、値引き率２０％が入力された場合、値引き前のプリント注文代金の合計額４４００円（基本料金５００円を含む）から、２０％に相当する８８０円が値引きされることになる。
【００４７】
ステップＳ１５で表示された注文確認画面において、「送信」ボタンがクリックされると（ステップＳ１６；ＹＥＳ）、ＣＰＵ１１により算出された値引き額で注文データが確定され（ステップＳ８）、本値引きサービス処理が終了する。
【００４８】
ステップＳ１５で表示された注文確認画面で、「もう一つ注文」ボタンがクリックされると（ステップＳ１６；ＮＯ）、ステップＳ２又はステップＳ９で選択されたデザイン、ステップＳ３又はステップＳ９で入力合成された画像、ステップＳ４又はステップＳ９で入力合成された文字の少なくとも一つ以上の項目を変更してもう一種類のポストカードのプリント注文を行うために、表示部１２には、変更する項目（デザイン、画像、文字）を指定する画面（図示略）が表示される。そして、再度、ステップＳ９〜Ｓ１５のステップが繰り返される。
【００４９】
以上のように、本第１の実施の形態の注文受付装置１によれば、一度の注文で、注文内容の一部（デザイン、画像、文字のうちの少なくとも一つ）が異なる複数種類のポストカードのプリント注文を受け付ける場合、入力情報が同一部分のステップ（例えば、お客様情報を入力するステップ）を省略することにより、プリント注文受付に係るコストを削減することができる。従って、このコスト削減をプリント注文代金に反映させることにより、客に値引きしたプリント注文代金を提示でき、プリント発注を促進させることができる。
【００５０】
［第２の実施の形態］
以下、本発明の第２の実施の形態について説明する。
本第２の実施の形態における注文受付装置の主要部構成は、第１の実施の形態における注文受付装置１の主要部構成と同一ゆえ、その図示及び構成説明を省略する。また、第２の実施の形態における注文受付装置における各部の符号は、第１の実施の形態における符号と同一であるものとする。
【００５１】
本第２の実施の形態における動作を説明する。
図１１のフローチャートを参照して、１回目のプリント注文時に注文受付装置１において実行される注文処理について説明する。以下のフローチャートでは、ポストカードのプリント注文に対する値引きサービスを行う場合について説明する。
【００５２】
表示部１２に、図３に示すような注文者情報・スタッファ情報入力画面が表示されると、この画面上で、客から預かったスタッファに記入された内容に基づいて、店員によって、お客様情報として、客の氏名及び電話番号が入力されるとともに、カテゴリ、品番及びオプションが選択される（ステップＳ２１）。
【００５３】
ステップＳ２１におけるお客様情報入力が終了し、図３の注文者情報・スタッファ情報入力画面において、「次へ」ボタンがクリックされると、表示部１２には、ポストカード作成に必要な編集画面が表示されるとともに、ポストカードに使用するデザインを選択するためのデザイン選択画面（図示略）が表示される。
【００５４】
デザイン選択画面上で、ポストカードに使用するデザインが選択されると（ステップＳ２２）、編集画面には、図４に示すように、ステップＳ２２で選択されたデザインが表示される。
【００５５】
図４の編集画面の上部に示されたメッセージに従って、左側に表示された「画像を取込む」ボタンがクリックされると、メディア入力部１４から、ポストカードに使用される画像が取り込まれる。
【００５６】
次いで、図５の編集画面上部のメッセージ「フォトフレーム内にはめ込む画像を選択してください。」に従って、メディア入力部１４から取り込まれた画像の中から、ポストカードのフォトフレーム内にはめ込む画像が選択され、その選択された画像が編集画面内のポストカードに合成される（ステップＳ２３）。画像合成後の編集画面は、図６に示すようになる。
【００５７】
図６の編集画面の上部に示された「右側のボタンで画像位置を調整し、よろしければ、左側の「文字を入れる」ボタンをクリックしてください。」というメッセージに従って、編集画面左側の「文字を入れる」ボタンがクリックされると、表示部１２には、図７に示すような文字入力選択画面が表示される。
【００５８】
図７に示す文字入力選択画面において、「差出人情報を入力する（一般）」、「定型で文字を入力する（業務）」、「自由に文字を入力する」、「定型あいさつ文を選ぶ」及び「日付を入力する」の５つのボタンのうちの何れかがクリックされると、対応する文字を入力するための専用のダイアログが表示され、文字入力が行われる（ステップＳ２４）。
【００５９】
ステップＳ２４における文字入力が終了し、編集画面左側の「注文する」ボタンがクリックされると、表示部１２には、プリント注文する画像を確認するための注文画像確認画面（図示略）が表示される。注文画像の確認が終了すると、表示部１２には、プリント枚数やはがき種を指定するための入力画面が表示される。
【００６０】
この入力画面上で、プリント枚数やはがき種が入力されると（ステップＳ２５）、表示部１２には、図８に示すように、注文内容を確認するための注文確認画面が表示される（ステップＳ２６）。
【００６１】
図８の注文確認画面によって注文確認が終了し、注文確認画面の「送信」ボタンがクリックされると、注文データが確定され（ステップＳ２７）、本値引きサービス処理が終了する。
【００６２】
次に、図１２のフローチャートを参照して、２回目以降のプリント注文時に注文受付装置１において実行される値引きサービス処理について説明する。
【００６３】
２回目以降のプリント注文の受付を行う場合、まず、表示部１２には、図１３に示すような注文履歴画面が表示される（ステップＳ３１）。図１３の注文履歴画面において、呼び出したい作業データ（例えば、受付番号１のデータ）が選択され、「作業読込み」ボタンがクリックされると、お客様情報はそのままで、その作業データに対応するポストカードのデザイン、画像及び文字の少なくとも一つ以上の項目を変更してもう一種類のポストカードのプリント注文を行うために、表示部１２には、変更する項目（デザイン、画像、文字）を指定する画面（図示略）が表示される。
【００６４】
変更する項目が指定されると、その指定された項目の変更処理が行われる（ステップＳ３２）。例えば、ポストカードのフォトフレームにはめ込む画像のみを変更する場合は、ステップＳ３２では、画像の入力合成のみが行われる。この場合、お客様情報入力、デザイン選択及び文字入力合成のステップは省略される。また、例えば、差出人の氏名のみを変更する場合は、ステップＳ３２では、文字入力合成のみが行われる。この場合、デザイン選択及び画像入力合成のステップは省略される。
【００６５】
ステップＳ３２の変更処理が終了すると、表示部１２には、プリント枚数やはがき種を指定するための入力画面が表示される。この入力画面上で、プリント枚数やはがき種が入力されると（ステップＳ３３）、ＣＰＵ１１は、入力された注文内容に応じて値引き額を算出するとともに、その算出された値引き額が差し引かれたプリント注文代金を算出する。このとき、表示部１２には、図９に示すような注文確認画面が表示される（ステップＳ３４）。図９の注文確認画面では、ＣＰＵ１１により算出された値引き金額が提示されている。
【００６６】
図９の注文確認画面において、「送信」ボタンがクリックされると（ステップＳ３５；ＮＯ）、図９に提示された値引き額で注文データが確定され（ステップＳ３９）、本値引きサービス処理が終了する。
【００６７】
図９の注文確認画面において、「値引き変更」ボタンがクリックされると（ステップＳ３５；ＹＥＳ）、表示部１２には、図１０に示すような値引き設定を行うための入力ダイアログが表示される。
【００６８】
この入力ダイアログにおいて、値引き率（％）又は値引き額が入力される（ステップＳ３６）。図１０の入力ダイアログにおいて、「キャンセル」ボタンがクリックされると（ステップＳ３７；ＮＯ）、手動による値引き設定はキャンセルされ、表示部１２には、再度、図９の注文確認画面が表示される（ステップＳ３４）。
【００６９】
図１０の入力ダイアログにおいて、「ＯＫ」ボタンがクリックされると（ステップＳ３７；ＹＥＳ）、ＣＰＵ１１は、ステップＳ３６の入力内容に基づいて値引き額を算出する。このとき、表示部１２には、手動による値引き金額を提示した注文確認画面（図示略）が表示される（ステップＳ３８）。
【００７０】
ステップＳ３８で表示された注文確認画面において、「送信」ボタンがクリックされると、ＣＰＵ１１により算出された値引き額で注文データが確定され（ステップＳ３９）、本値引きサービス処理が終了する。
【００７１】
以上のように、第２の実施の形態の注文受付装置１によれば、２回目以降のプリント注文を受け付ける場合、前回までの注文と入力情報が同一部分のステップ（例えば、お客様情報を入力するステップ）を省略することにより、プリント注文受付に係るコストを削減することができる。従って、このコスト削減をプリント注文代金に反映させることにより、客に値引きしたプリント注文代金を提示でき、プリント発注を促進させることができる。
【００７２】
なお、上記各実施の形態における記述内容は、本発明の趣旨を逸脱しない範囲で適宜変更可能である。
【００７３】
例えば、上記各実施の形態では、ポストカードのプリント注文を受け付ける場合を示したが、アルバム作成やカレンダー作成等のためのプリント注文を受け付ける場合等、他のプリント注文受付においても適用される。
【００７４】
【発明の効果】
本発明によれば、注文内容の一部が異なる複数のプリント注文の受付を行う場合、注文内容が同一部分の入力が省略可能になることにより、プリント注文の代金の値引きが可能になり、プリント発注を促進させることができる。
【図面の簡単な説明】
【図１】本発明の第１の実施の形態における注文受付装置１の機能的構成を示すブロック図。
【図２】第１の実施の形態において、注文受付装置１において実行される値引きサービス処理を示すフローチャート。
【図３】注文者情報・スタッファ情報入力画面を示す図。
【図４】デザイン選択後の編集画面を示す図。
【図５】画像取り込み後の編集画面を示す図。
【図６】画像合成後の編集画面を示す図。
【図７】文字入力選択画面を示す図。
【図８】注文確認画面を示す図。
【図９】値引き額が表示された注文確認画面を示す図。
【図１０】値引き設定を行うための入力ダイアログを示す図。
【図１１】本発明の第２の実施の形態において、１回目のプリント注文時に注文受付装置１において実行される注文処理を示すフローチャート。
【図１２】本発明の第２の実施の形態において、２回目以降のプリント注文時に注文受付装置１において実行される値引きサービス処理を示すフローチャート。
【図１３】注文履歴画面を示す図。
【符号の説明】
１　　注文受付装置
１１　ＣＰＵ
１２　表示部
１３　操作部
１４　メディア入力部
１５　記憶部
１６　通信部
１７　バス
【図１】
2004145622.tif 000003
【図２】
2004145622.tif 000004
【図３】
2004145622.tif 000005
【図４】
2004145622.tif 000006
【図５】
2004145622.tif 000007
【図６】
2004145622.tif 000008
【図７】
2004145622.tif 000009
【図８】
2004145622.tif 000010
【図９】
2004145622.tif 000011
【図１０】
2004145622.tif 000012
【図１１】
2004145622.tif 000013
【図１２】
2004145622.tif 000014
【図１３】
2004145622.tif 000015